(57)【特許請求の範囲】
【請求項１】
互いに嵌合される一対のコネクタのうちの一方のコネクタには、カム溝を有するレバーが初期位置と嵌合位置との間を回動可能に支持され、他方のコネクタには、前記カム溝と係合可能なカムフォロアが設けられ、
初期位置にある前記レバーのカム溝に前記カムフォロアを進入させつつ前記両コネクタを浅く嵌合した状態からレバーを嵌合位置まで回動させることで、前記カム溝と前記カムフォロアとの係合によるカム作用により両コネクタを互いに引き寄せて正規嵌合するようにしたコネクタにおいて、
前記レバーには、その回動中心を挟んだ一端側に操作部が設けられるとともに、前記回動中心を挟んだ他端側に引掛部が設けられ、
前記他方のコネクタには前記引掛部と係合可能な受け部が設けられており、
前記レバーが嵌合位置へ向かう途中の係合位置にて前記引掛部が前記受け部を引掛けた状態となり、さらに前記操作部を押し操作して前記レバーを係合位置から嵌合位置へ移動させることにより、前記引掛部が前記操作部に対する押し方向と反対方向に前記受け部を引き上げて、前記両コネクタの嵌合姿勢を矯正することが可能な構成としたことを特徴とするコネクタ。
【請求項２】
前記レバーは、前記操作部とその両端から突出する一対のアーム部とにより全体として門型をなし、前記一方のコネクタに跨るように組み付けられるようになっており、
前記引掛部は前記両アーム部に凹設され、前記受け部は前記他方のコネクタの両側壁に凸設され、前記受け部が前記引掛部に進入することで引掛け状態が構成されることを特徴とする請求項１に記載のコネクタ。
【請求項３】
前記一方のコネクタには、前記両コネクタの嵌合方向に沿って延びるガイド部が設けられ、他方のコネクタには、ガイド受け部が設けられ、前記レバーが初期位置から係合位置へと回動される間は、前記ガイド部と前記ガイド受け部が互いに摺動することで前記両コネクタの嵌合動作が案内される構成としたことを特徴とする請求項１または請求項２に記載のコネクタ。
【発明の詳細な説明】
【技術分野】
【０００１】
本発明は、コネクタに関する。
【背景技術】
【０００２】
コネクタとして、特許文献１に記載のレバー式コネクタが知られている。このものは、互いに嵌合可能な一対のコネクタを備え、一方のコネクタにはレバーが支軸を中心として回動可能に支持されている。レバーは操作部とその両端から突出する左右一対のアーム部とにより全体として門型に形成され、両アーム部にはカム溝と支軸に対する軸孔とが形成されている。これに対して、他方のコネクタには、カムフォロアが突設されており、両コネクタを嵌合する際には、レバーを初期位置にセットしてカムフォロアをレバーのカム溝に進入させ、その状態からレバーを嵌合位置へ向けて回動操作することにより、カム溝とカムフォロアとの係合によるカム作用により両コネクタを互いに引き寄せて正規の嵌合状態としている。レバーが回動操作される間、操作部は、一方のコネクタの幅方向の一端側から他端側にかけて円弧状に押し込み操作されるようになっている。
【特許文献１】特開２００１−３２６０２４公報
【発明の開示】
【発明が解決しようとする課題】
【０００３】
ところで、コネクタが多極化した場合に、両コネクタの嵌合領域間にがたつきがあったりすると、一方のコネクタの幅方向の他端側では操作部に対する押し込み力による付勢によって他方のコネクタとの嵌合動作を早く進行させるものの、幅方向の一端側では逆に他方のコネクタから離れる方向に引っ張り力が作用して他方のコネクタとの嵌合動作を遅らせる嫌いがある。そのため、両コネクタが正規の嵌合姿勢から傾いた姿勢をとることがあり、さらにその傾き姿勢をとった状態のまま両コネクタの嵌合動作を終えてしまうことが懸念される。
【０００４】
本発明は上記のような事情に基づいて完成されたものであって、両コネクタを正規の嵌合状態へと確実に誘導することを目的とする。
【課題を解決するための手段】
【０００５】
上記の目的を達成するための手段として、請求項１の発明は、互いに嵌合される一対のコネクタのうちの一方のコネクタには、カム溝を有するレバーが初期位置と嵌合位置との間を回動可能に支持され、他方のコネクタには、前記カム溝と係合可能なカムフォロアが設けられ、初期位置にある前記レバーのカム溝に前記カムフォロアを進入させつつ前記両コネクタを浅く嵌合した状態からレバーを嵌合位置まで回動させることで、前記カム溝と前記カムフォロアとの係合によるカム作用により両コネクタを互いに引き寄せて正規嵌合するようにしたコネクタにおいて、前記レバーには、その回動中心を挟んだ一端側に操作部が設けられるとともに、前記回動中心を挟んだ他端側に引掛部が設けられ、前記他方のコネクタには前記引掛部と係合可能な受け部が設けられており、前記レバーが嵌合位置へ向かう途中の係合位置にて前記引掛部が前記受け部を引掛けた状態となり、さらに前記操作部を押し操作して前記レバーを係合位置から嵌合位置へ移動させることにより、前記引掛部が前記操作部に対する押し方向と反対方向に前記受け部を引き上げて、前記両コネクタの嵌合姿勢を矯正することが可能な構成とした構成としたところに特徴を有する。
【０００６】
請求項２の発明は、請求項１に記載のものにおいて、前記レバーは、前記操作部とその両端から突出する一対のアーム部とにより全体として門型をなし、前記一方のコネクタに跨るように組み付けられるようになっており、前記引掛部は前記両アーム部に凹設され、前記受け部は前記他方のコネクタの両側壁に凸設され、前記受け部が前記引掛部に進入することで引掛け状態が構成されるところに特徴を有する。
【０００７】
請求項３の発明は、請求項１または請求項２に記載のものにおいて、前記一方のコネクタには、前記両コネクタの嵌合方向に沿って延びるガイド部が設けられ、他方のコネクタには、ガイド受け部が設けられ、前記レバーが初期位置から係合位置へと回動される間は、前記ガイド部と前記ガイド受け部が互いに摺動することで前記両コネクタの嵌合動作が案内される構成としたところに特徴を有する。
【発明の効果】
【０００８】
＜請求項１の発明＞
操作部を摘んでレバーを初期位置から嵌合位置へ向けて回動させると、操作部が一方のコネクタの幅方向一端側に近づく。そののちレバーが係合位置に達すると、一方のコネクタの幅方向他端側にてレバーの引掛部が他方のコネクタの受け部を引掛けた状態となる。さらに操作部を嵌合位置側へ押し操作すると、引掛部が操作部に対する押し方向と反対方向に受け部を引っ張り上げ、両コネクタの嵌合姿勢が矯正される。したがって、レバーの回動操作を利用して両コネクタを正規の嵌合状態へと確実に誘導することができる。
【０００９】
＜請求項２の発明＞
引掛部がレバーの両アーム部に凹設され、受け部が他方のコネクタの両側壁に凸設されているから、レバーの両側おいて引掛部と受け部とによる引掛け状態がバランス良く構成され、より円滑な嵌合状況が実現される。
【００１０】
＜請求項３の発明＞
レバーが初期位置から係合位置へと回動される間、一方のコネクタのガイド部と他方のコネクタのガイド受け部とが互いに摺動することで両コネクタの嵌合動作が案内され、レバーが係合位置から嵌合位置へと回動される間、一方のコネクタの引掛部と他方のコネクタの受け部とが引掛け状態となることで同じく両コネクタの嵌合動作が案内される。したがって、両コネクタの嵌合動作が進行する間、常に、円滑な嵌合動作が保障される。
【発明を実施するための最良の形態】
【００１１】
＜実施形態１＞
本発明の実施形態１を図１ないし図７によって説明する。本実施形態のコネクタは、分割タイプの防水コネクタとなっており、互いに嵌合可能な雌雄の両コネクタＦ，Ｍを備えて構成される。このうち雌型のコネクタＦは、複数（図示する場合は４つ）のサブコネクタ１０と、各サブコネクタ１０を収容可能なフレーム６０と、フレーム６０に装着されたレバー７０とを備え、レバー７０の回動操作に基づいて両コネクタＦ，Ｍの嵌合動作が進行するようになっている。なお、以下において前後方向については両コネクタＦ，Ｍの嵌合面側を前方として説明する。
【００１２】
雄型のコネクタＭは、基板（プリント配線基板）用のコネクタであって、図７に示すように、複数の雄型のサブコネクタ９０を幅方向に並べて構成され、各サブコネクタ９０が後面に配された連結板９３によって並び方向（幅方向）に連結されている。また、各サブコネクタ９０は、前面に開口する角筒状のフード部９１を備え、幅方向で隣り合う両フード部９１間は区画壁９２によって仕切られている。フード部９１の奥壁には、雄端子金具９４が貫通して装着され、雄端子金具９４の前半部がフード部９１内に突出して配される一方、雄端子金具９４の後半部が連結板９３の後面から露出して途中で直角曲げされて基板（図示せず）の導電路に接続可能とされている。
【００１３】
フード部９１の上下の両外側面にはカムフォロア９５が突設され、このカムフォロア９５がレバー７０のカム溝７１に沿って移動することでカム作用が発揮されるようになっている。また、フード部９１の上下の両外側面には、同フード部９１の前端から後方へ延びる解除リブ９７が形成されている。解除リブ９７の前面は後方へ向かって昇り勾配となるテーパ状の解除案内面９７Ａとされている。さらに、フード部９１の上下の両外側面には、カムフォロア９５及び解除リブ９７の形成位置より端部側へ寄った位置に、円柱状のピン９８（本発明の受け部に相当）が突設されている。
【００１４】
雌型のコネクタＦは、図１に示すように、全体として幅方向に横長の形態をなし、雄型のサブコネクタ９０と対応して複数のサブコネクタ１０を備えている。そして、サブコネクタ１０は、図４に示すように、サブハウジング１１、リテーナ３５、シール部材４０、及びリアホルダ５０とから構成されている。  
サブハウジング１１は、合成樹脂材により略直方体状をなし、その内部に雌端子金具３０を後方から挿入可能な複数のキャビティ１２を有している。キャビティ１２は、高さ方向に複数段で幅方向に複数列となって配され、その内壁に、前方へ向けて片持ち状に延びるランス１８が形成されている。キャビティ１２内に正規挿入された雌端子金具３０はランス１８により弾性的に係止されるようになっている。
【００１５】
リテーナ３５は、合成樹脂材により略平板状をなし、サブハウジング１１の下面に差し込まれてキャビティ１２を貫通することによって、雌端子金具３０を係止可能とされている。雌端子金具３０は、ランス１８とリテーナ３５とにより二重に係止されることでキャビティ１２から確実に抜け止めされた状態となる。  
サブハウジング１１の後面には、ゴム材よりなる一括型のシール部材４０が取り付けられている。シール部材４０は、サブハウジング１１の後面全体に当着可能であって、各キャビティ１２と対応する位置毎に電線挿通孔４１を有し、各電線挿通孔４１の内周面に、雌端子金具３０にかしめ接続された電線Ｗが水密状態で密着可能とされている。また、シール部材４０には雄型のサブコネクタ９０のフード部９１が外嵌可能とされ、これによりシール部材４０の外周面に、フード部９１の内周面が水密状態で密着可能とされている。
【００１６】
シール部材４０の抜け止めをなすリアホルダ５０は、合成樹脂材により略方形ブロック状をなし、電線挿通孔４１と対応する位置毎に、雌端子金具３０とこれに接続された電線Ｗとを電線挿通孔４１に通すための差込路５３を有している。差込路５３は、雌端子金具３０の箱部３２と同じかそれより少し大きい開口径を有し、雌端子金具３０に接続された電線Ｗを遊挿可能とされている。リアホルダ５０の上下両端部からは係止脚片５１が前方へ突出して形成されている。係止脚片５１は、後方からシール部材４０の係止脚片挿通孔４２を貫通したあとサブハウジング１１の上下両面に被さる長さをもって構成され、その先端部に形成された係止爪５１Ａがサブハウジング１１の上下両面に設けられた段付部１３に弾性的に係止することにより、リアホルダ５０がサブハウジング１１との間にシール部材４０を挟み付けた状態で同サブハウジング１１に取り付けられるようになっている。なお、本実施形態の場合には、各サブコネクタ１０のサイズに合わせて係止脚片５１を上下一対備えるものから上下三対備えるまで用意されている。
【００１７】
各リアホルダ５０は相互の側縁同士を突き合わせた状態で並び方向（幅方向）に連結され、これにより各サブコネクタ１０がリアホルダ５０を介して合体保持されるようになっている。詳しくは、並び方向で隣接する両リアホルダ５０の対向面（側端縁）にそれぞれ凹部（図示せず）と凸部５５が設けられており、隣接する両リアホルダ５０の側縁同士を前後方向に摺動させて、凹部（図示せず）と凸部５５とをありつぎ状態で凹凸嵌合することにより、リアホルダ５０が離脱規制状態に合体されるようになっている。
【００１８】
また、両リアホルダ５０の上下両端部には、幅方向に延出して両側面に開口するレール溝状をなす一対の被案内部５９が形成されている。被案内部５９にフレーム６０に形成された案内部６５が摺動することにより、リアホルダ５０ひいてはサブコネクタ１０がフレーム６０内に挿入案内されるようになっている。
フレーム６０に対して最後に挿入されるサブコネクタ１０におけるリアホルダ５０の上下両面には、フレーム６０のロック受け部６１と弾性係止可能なロック部５０Ｂが設けられている。ロック部５０Ｂは、被案内部５９を被覆する覆い壁５９Ａの上面に突設され、被案内部５９側への撓み変形動作が可能となっている。また、最後に挿入されるサブコネクタ１０にはリアホルダ５０の片側縁から前方へ突出する保護壁５０Ｈが形成され、この保護壁５０Ｈが、フレーム６０の差込口６０Ａに臨むシール部材４０の露出端面を覆い隠すことで、シール部材４０が保護状態におかれるようにしてある。
【００１９】
フレーム６０は、同じく合成樹脂製であって全体として扁平な枠状をなし、前面及び一側面（図１に示す右側面）が開口して形成されている。フレーム６０の一側面は差込口６０Ａとして構成され、この差込口６０Ａを通して各サブコネクタ１０がフレーム６０内に順次装着可能とされている。そして、フレーム６０の上下両壁の外面にはレバー７０を回動可能に支持するための一対の支持軸６２が突設されている。また、フレーム６０の上下両壁には、前縁に開口して前後方向に沿って延びるカムフォロア進入溝７７が凹設され、さらに、カムフォロア進入溝７７よりも端部寄りの位置に、同じく前縁に開口して前後方向に沿って延びるピン進入溝７８が凹設されている。カムフォロア進入溝７７にはカムフォロア９５が、ピン進入溝７８にはピン９８が、それぞれ摺動可能に進入するようになっている。
【００２０】
フレーム６０は、区画壁によって仕切られることなく各サブコネクタ１０を一括して収容可能な１つのコネクタ収容空間６４を有し、その上下両壁の内面に、幅方向に延出してレール状をなす一対の案内部６５を備えている。また、フレーム６０の上下両壁の内面には、案内部６５の後方にて同案内部６５と平行に延出する一対の受け壁６６が形成され、さらに、フレーム６０の上下両壁の差込口６０Ａ近傍には、略方形状のロック受け部６１が厚み方向に貫通して形成されている。フレーム６０内は、受け壁６６を境とした前方領域がコネクタ収容空間６４とされ、後方領域がリアホルダ５０の後面から引き出される電線Ｗを一括して収容するための電線収容空間６７とされている。また、フレーム６０は、各サブコネクタ１０から導出された電線Ｗを差込口６０Ａと同じ側へ屈曲案内する後壁６８を備えている。
【００２１】
各サブコネクタ１０は、リアホルダ５０を介して合体状態を保ったまま差込口６０Ａからフレーム６０内に並び方向にスライド挿入される。このとき、被案内部５９と案内部６５とが前後方向で係合することでフレーム６０における各サブコネクタ１０の前後方向の位置決めがなされる。そしてフレーム６０に対し最後に挿入されるサブコネクタ１０が装着されると、そのリアホルダ５０のロック部５０Ｂがフレーム６０のロック受け部６１に弾性的に嵌入され、もって各サブコネクタ１０の差込口６０Ａからの抜け止めがなされる。このとき、最初に挿入されたサブコネクタ１０の側縁がフレーム６０の奥壁６９に当て止めされてそれ以上の挿入操作が規制されるようになっている。
【００２２】
さて、レバー７０は、図２及び図５に示すように、操作部７２とその両端から突出する一対のアーム部７３とで全体として門型をなし、両アーム部７３の略中央部に貫設された軸受孔７６に支持軸６２を貫通させることにより、両アーム部７３が支持軸６２に回動可能に支持された状態で、フレーム６０に跨るように装着される。両アーム部７３には雄型のサブコネクタ９０のカムフォロア９５と係合可能なカム溝７１が円弧状に形成されている。カム溝７１は、両アーム部７３の内側面と両アーム部７３の外周縁とにのみ開口する形態とされ、外側が両アーム部７３の外側面にて閉止されている。
【００２３】
レバー７０は、操作部７２がフレーム６０の後壁の一側端部（図２に示す右側端部）に当接可能に配される初期位置と、操作部７２がフレーム６０の後壁の他側端部（図２に示す左側端部）に当接可能に配される嵌合位置との間を変位可能とされている。両アーム部７３には撓み変形可能な弾性アーム片７５が切り込みにより形成されており、弾性アーム片７５の先端爪部がカムフォロア進入溝７７の溝縁に当接することによってレバー７０を初期位置に保持するようになっている。両コネクタＦ，Ｍの嵌合開始時に、雄型のサブコネクタ９０に設けられた解除リブ９７が弾性アーム片７５の先端爪部７５Ａと当接すると、弾性アーム片７５が解除リブ９７の解除案内面９７Ａに摺動しつつ係止解除方向に撓み変形させられ、レバー７０の回動操作が許容されるようになっている。そして、レバー７０のカム溝７１の入り口にカムフォロア９５を臨ませた状態で、レバー７０を嵌合位置に向けて回動すると、カムフォロア９５がカム溝７１に沿って移動して両者によるカム作用が発揮され、もって両コネクタＦ，Ｍ同士が互いに引き寄せられて正規嵌合されるようになっている。なお、フレーム６０の上下両壁には、一対の開き防止壁６３が両アーム部７３の周囲を取り囲むようにアーチ状に設けられ、両コネクタＦ，Ｍの嵌合時における両アーム部７３の過剰な拡開変形を防止している。
【００２４】
操作部７２の幅方向（図５の左右方向をいう。以下、レバー７０の構造説明については、図５の下方を前方とし、図５の上方を後方とする。）の略中央部には、レバー７０が嵌合位置に達したときに、フレーム６０の後壁の一側端部に突設されたレバーロック受け部８４と弾性係止可能なレバーロック部７４が形成されている。レバーロック部７４は、図４に示すように、操作部７２の厚み方向の外側にて幅方向に延びる保護壁７４Ａと、操作部７２の厚み方向の内側にて保護壁７４Ａに覆われてなるレバーロックアーム７４Ｂ，７４Ｃ，７４Ｄとから構成されている。レバーロックアーム７４Ｂ，７４Ｃ，７４Ｄは、幅方向に延びる掛止部７４Ｂと、掛止部７４Ｂの両端側から前方へ突出する一対の脚部７４Ｃと、両脚部７４Ｃの前端に接続されて掛止部７４Ｂと平行に延び、かつ厚み方向の内側にて後方へ屈曲する形態の受止部７４Ｄとからなり、掛止部７４Ｂ、両脚部７４Ｃ、及び受止部７４Ｄが取り囲むことで、レバーロック受け部８４の進入を許容する係止孔７４Ｅが区画して形成されている。レバー７０が嵌合位置に至ると、レバーロック受け部８４が係止孔７４Ｅに弾性的に嵌入されるとともに、レバーロック受け部８４の外壁に掛止部７４Ｂが楔状に当接し、かつ、掛止部７４Ｂと受止部７４Ｄとの間にレバーロック受け部８４が挟まれて、レバー７０が回動規制状態に保持されるようになっている（図３を参照）。
【００２５】
そして、両アーム部７３には、操作部７２と軸受孔７６を挟んで反対側の端部に、雄型のサブコネクタ９０に設けられたピン９８が進入可能な受け溝７９Ａを有する引掛部７９が形成されている。引掛部７９の受け溝７９Ａは、両アーム部７３のうちレバー７０の回動方向前方の外周縁と両アーム部７３の内側面とにのみ開口する形態をとっており、カム溝７１の近傍位置にて同カム溝７１と並んで配置されている。この引掛部７９は、レバー７０が嵌合位置手前の係合位置まで回動されるのに伴ってピン９８を引掛けることができるようになっており、そののちレバー７０が嵌合位置に至る過程ではピン９８をレバー７０の回動方向に引っ張り上げることができるようになっている。
【００２６】
次に、本実施形態の作用効果について説明する。まず、サブハウジング１１の後面にシール部材４０を当着させ、その状態で後方からリアホルダ５０を被せ付ける。これによってリアホルダ５０がシール部材４０を間に挟んでサブハウジング１１に取り付けられる。
続いて、リテーナ３５をサブハウジング１１に浅く差し込み、その状態で後方から電線Ｗに接続された雌端子金具３０を、リアホルダ５０の差込路５３、及びシール部材４０の電線挿通孔４１を通してキュビティ１２内に挿入し、キャビティ１２内にてランス１８により一次係止する。その後、リテーナ３５を深く差し込んんで雌端子金具３０を二次係止する。
【００２７】
全てのサブコネクタ１０について雌端子金具３０の装着作業が完了したら、続いて、凹部（図示せず）と凸部５５とを嵌め合わせつつ前後方向にスライド係合させることで、隣接する両リアホルダ５０同士を離脱規制状態に連結保持させる。一対のサブコネクタ１０同士を合体させたら、このうちの一方のリアホルダ５０に別のサブコネクタ１０のリアホルダ５０を連結保持させ、各サブコネクタ１０をリアホルダ５０を介して並び方向に順次合体させる。かかる合体状態では、各サブコネクタ１０でそれぞれの被案内部５９が幅方向の一直線上に切り目なく連なるようになる。
【００２８】
次に、合体状態にある各サブコネクタ１０を、差込口６０Ａを通してフレーム６０のコネクタ収容空間６４に順次挿入する。挿入開始時に左端に位置するサブコネクタ１０の被案内部５９をフレーム６０の案内部６５に適合させ、その状態から各サブコネクタ１０をコネクタ収容空間６４の奥方へ押し込む。すると、各サブコネクタ１０が案内部６５に案内されつつフレーム６０内に挿入され、さらに各サブコネクタ１０が正規の装着位置に至るのに伴い、最初に挿入されるサブコネクタ１０が奥壁６９に当て止めされるとともに、最後に挿入されるサブコネクタ１０に設けられたロック部５０Ｂがフレーム６０のロック受け部６１に弾性係止される。また、各サブコネクタ１０から引き出された電線Ｗがまとめられて電線収容空間６７に収められ、所定方向に引き出される。
【００２９】
組み付けが完了したら、前方から雄型のサブコネクタ９０を対応するサブコネクタ１０に緩く嵌合させる。すると、カムフォロア９５がカムフォロア進入溝７７を通してカム溝７１に進入するとともに、解除リブ９７が同じくカムフォロア進入溝７７に進入して弾性アーム片７５を係止解除方向に押しやり、初期位置におけるレバー７０の係止状態が解除される。次いで、操作部７２を摘んでレバー７０を支持軸６２周りに嵌合位置側へ回動させることにより、レバー７０の操作部７２をフレーム６０の右端側から左端側にかけて円弧を描きつつ幅方向に大きく変位させる。レバー７０の回動操作に伴い、カム溝７１に沿ってカムフォロア９５が移動するとともにそのカム作用によって雄型のサブコネクタ９０が対応するサブコネクタ１０側に引き寄せられ、フード部９１がフレーム６０内に進入するとともにサブハウジング１１に外嵌される。そして、両コネクタＦ，Ｍの嵌合途中で、雄型のサブコネクタ９０のピン９８がフレーム６０のピン進入溝７８に進入する。
【００３０】
その後、図２に示すように、レバー７０の操作部７２が左端側に近づくに伴い、操作部７２に対する押し込み力がフレーム６０の左端側に偏って作用し、フレーム６０の左端側では雄型のサブコネクタ９０がフレーム６０内に深く進入するが、フレーム６０の右端側では逆に雄型のサブコネクタ９０がフレーム６０内に十分に進入せず、したがって雄型のコネクタＭが右端に行くほど下り勾配となる斜め姿勢をとる場合がある。
【００３１】
しかるに本実施形態の場合には、レバー７０が嵌合位置に至る手前の係合位置に達すると、引掛部７９がピン進入溝７８上を横切ってピン９８を引掛けた状態となり、ここからさらに操作部７２に力を加えてレバー７０が嵌合位置側へ向けて回動されることにより、引掛け状態にあるピン９８が引掛部７９の受け溝７９Ａの奥側へ徐々に嵌まり込むようになっている。そして、ピン９８が引掛部７９受け溝７９Ａの奥端に至ってさらにレバー７０の回動操作が進むことにより、ピン９８が引掛部７９によって嵌合方向前方へ引き上げられ（釣り上げられ）、フレーム６０の右端側において両コネクタＦ，Ｍの嵌合動作が一気に進行して雄型のサブコネクタ９０の傾きを矯正するようになっている。両コネクタＦ，Ｍの嵌合動作が進む間、フード部９１の区画壁９２がリアホルダ５０の対向面間に摺動可能に進入し、これによっても両コネクタＦ，Ｍの嵌合動作が案内されるようになっている。  
こうしてレバー７０が嵌合位置に至ると、レバー７０の後縁が略水平に配された状態で、レバーロック受け部８４とレバーロック部７４との弾性係止によってレバー７０の回動操作が規制される（図３を参照）。また、両コネクタＦ，Ｍが正規深さで嵌合され、両コネクタＦ，Ｍに収容された雌雄の両端子金具３０，９４が導通可能に接続される。
【００３２】
なお、図６に示すように、両コネクタＦ，Ｍの嵌合過程で雄型のコネクタＭが左端に行くほど下り勾配となる斜め姿勢をとる場合には、操作部７２に力を加えてレバー７０を嵌合位置に押し込むことで、フレーム６０の左端側において両コネクタＦ，Ｍの嵌合動作が一気に進行することになり、レバー７０が嵌合位置に至れば、同じく雄型のサブコネクタ９０の嵌合姿勢が矯正されるようになっている。
【００３３】
このように本実施形態によれば、レバー７０の回動操作に起因して両コネクタＦ，Ｍが正規姿勢から傾いた姿勢をとっていても、レバー７０が係合位置に達したときに、レバー７０の引掛部７９が雄型のサブコネクタ９０のピン９８を引掛けた状態となり、さらなるレバー７０の回動操作によって引掛部７９が操作部７２を嵌合方向に引き上げて両コネクタＦ，Ｍの傾き姿勢を水平姿勢に矯正するようにしたから、両コネクタＦ，Ｍを正規の嵌合状態へと確実に誘導することができる。また、引掛部７９がレバー７０の両アーム部７３に凹設され、ピン９８がフード部９１の上下両壁に凸設されているから、レバー７０の両側において引掛部７９とピン９８とによる引掛け状態がバランス良く構成され、円滑な嵌合状況が実現される。
【００３４】
＜実施形態２＞
次に、本発明の実施形態２を図８によって説明する。実施形態２は、雌型のコネクタＦにおいてフレーム６０の内面にガイド部８５が設けられている点で実施形態１とは異なるが、その他は実施形態１と同様であるので、実施形態１と同じ構造部位には同一符号を付し、重複する説明は省略する。
【００３５】
すなわち、ガイド部８５は、フレーム６０の上下両壁の内面前端から後方へ向けて両コネクタＦ，Ｍの嵌合方向に沿って延びるリブ状に形成されている。そして、このガイド部８５は、両コネクタＦ，Ｍの嵌合開始時に、雄型のコネクタＭにおいて隣接するフード部９１同士の境目となる谷間９９（本発明のガイド受け部に相当、図７を参照）に進入して、両コネクタＦ，Ｍの嵌合動作を案内するようになっている。  
実施形態２によれば、両コネクタＦ，Ｍの嵌合開始時であってレバー７０が係合位置に達していないときに、ガイド部８５がフード部９１間の谷間９９に進入して摺動することにより、両コネクタＦ，Ｍの嵌合動作が案内されるようになっており、それ以降は、引掛部７９とピン９８との係合により両コネクタＦ，Ｍの嵌合動作が案内されるようになっているので、両コネクタＦ，Ｍの嵌合動作が進行する間、常に、円滑な嵌合動作が保障される。また、フード部９１間の谷間９９を利用することにより、ガイド部８５の相手側にガイド受け部となすべき専用構造を設ける必要がないから、雄型のコネクタＭの構造を簡素化できる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、レバーが装着されるコネクタが分割タイプのコネクタとして構成されていたが、本発明によれば、レバーが装着されるコネクタが分割タイプでない通常のコネクタとして構成されてもよい。その場合、レバーはコネクタのハウジングに装着されることが可能である。
（２）上記実施形態では、レバーが装着されるコネクタが雌型のコネクタとして構成されていたが、本発明によれば、レバーが装着されるコネクタが雄型のコネクタとして構成されていてもよい。
（３）上記実施形態では、レバーが操作部と両アーム部とで全体として門型状に形成されていたが、本発明によれば、レバーが一枚板状をなす平板状に形成されていてもよい。
【図面の簡単な説明】
【００３７】
【図１】実施形態１における雌型のコネクタの分解斜視図
【図２】レバーが嵌合位置に至る前の状態であって雄型のコネクタが右側へ少し傾いた状態を示す要部破断した平面図
【図３】レバーが嵌合位置に至った状態を示す要部破断した平面図
【図４】雌雄の両コネクタが正規嵌合された状態を示す側断面図
【図５】レバーの背面図
【図６】レバーが嵌合位置に至る前の状態であって雄型のコネクタが左側へ少し傾いた状態を示す要部破断した平面図
【図７】雄型のコネクタの斜視図
【図８】実施形態２における雌型のコネクタの分解斜視図
【符号の説明】
【００３８】
Ｆ…雌型のコネクタ（一方のコネクタ）
Ｍ…雄型のコネクタ（他方のコネクタ）
６０…フレーム
６２…支持軸
７０…レバー
７２…操作部
７３…アーム部
７４…レバーロック部
７７…カムフォロア進入溝
７８…ピン進入溝
７９…引掛部
７９Ａ…受け溝
８４…レバーロック受け部
９０…雄型のサブコネクタ
９５…カムフォロア
９８…ピン（受け部）
【図１】
0004556134.tif 000002
【図２】
0004556134.tif 000003
【図３】
0004556134.tif 000004
【図４】
0004556134.tif 000005
【図５】
0004556134.tif 000006
【図６】
0004556134.tif 000007
【図７】
0004556134.tif 000008
【図８】
0004556134.tif 000009